(57)【要約】【課題】マンホール等に加工を施すことがないと共に、マンホール等から突出することのないアンテナとする。【解決手段】マンホール蓋２に設けられている鍵穴２ａ内に装着できる形状の本体部１１とし、本体部１１には誘電体が充填されているスロット部１２を形成する。本体部１１の裏側であるマンホール内から、このように構成されているスロットアンテナ１０に給電する。【選択図】　図３
2004007210.tif 000002
【特許請求の範囲】
【請求項１】
地中に埋設される枠体の上部を閉塞する導電性の蓋に形成されている鍵穴に装着可能なスロットアンテナであって、
前記鍵穴内に嵌着可能な形状とされている導電性の本体部を備え、該本体部のほぼ中央に誘電体が充填されているスロット部が裏面から表面にわたり形成されており、該スロット部の給電点が前記本体部の裏面に設けられていることを特徴とするスロットアンテナ。
【請求項２】
前記鍵穴より大きく形成されて前記蓋の裏面に対面して取り付けられる取付部が、前記本体部の下部に設けられており、該取付部が前記蓋と容量結合可能な大きさとされていることを特徴とする請求項１記載のスロットアンテナ。
【請求項３】
前記取付部に、前記蓋の裏面に吸着可能なマグネット手段が備えられていることを特徴とする請求項１記載のスロットアンテナ。
【請求項４】
誘電体が充填されている前記スロット部が折り返しスロットにより構成されて、前記本体部が前記折り返しスロットの内部に前記誘電体により絶縁されて位置している内部導体部と、前記折り返しスロットを囲む外部導体部とから構成されており、前記誘電体の一部が取り除かれて、前記内部導体と前記外部導体とを給電端子とする給電用コネクタが形成されていることを特徴とする請求項１ないし３のいずれかに記載のスロットアンテナ。
【請求項５】
前記内部導体と前記外部導体に、前記本体部の裏面において接続されている給電ケーブルが、充電用ケーブルを兼用していることを特徴とする請求項４記載のスロットアンテナ。
【請求項６】
地中に埋設される枠体の上部を閉塞する矩形状の形状とされている導電性の蓋に装着可能なスロットアンテナであって、
前記蓋の周縁を挟持可能な導電性の導体部を備え、該導体部に誘電体が充填されているスロット部が表面から裏面にわたり形成されており、該スロット部の給電点が前記導体部の裏面に設けられていることを特徴とするスロットアンテナ。
【請求項７】
前記導体部における前記蓋と対面する部位が、前記蓋と容量結合可能な大きさとされていることを特徴とする請求項６記載のスロットアンテナ。
【発明の詳細な説明】
【０００１】
【発明が属する技術分野】
本発明は、道路等に埋設されたライフラインのメンテナンスを行うに適したマンホールやハンドホールの蓋に装着可能なスロットアンテナに関するものである。
【０００２】
【従来の技術】
現在、ライフライン（上水道、下水道、電気、ガス、電話等）と呼ばれる供給施設の多くは、地下に埋没されており、その保守点検用として多種多様のマンホール等が設置されている。このライフラインの状態を把握し維持・管理する事は、人々の生活にとって必須であり、そのための装置が開発され実用化されている。また、維持・管理を効率的に行うための無線を利用した遠隔管理システムも導入されつつある。
【０００３】
【発明が解決しようとする課題】
しかし、施設が地下に埋没されている事から、ライフラインの状態を把握するにはマンホール内に立ち入ることになり、その作業が危険を伴う困難な作業となる。このため、マンホールにアンテナを設置して無線を利用した遠隔管理システムを構築することが考えられている。しかしながら、マンホールの多くは路上に設置されているため、マンホールに設置するアンテナには次に上げる多くの制限や問題点があり、有効なアンテナが実用化されていない。このため、無線を利用した遠隔管理システムの普及が制限されていた。
（１）従来のマンホールアンテナは、マンホールに何らかの加工を施さないと設置できないため、事前に加工を施してアンテナを設置することのできるマンホール又はマンホール蓋に現場にて交換する必要があった。
（２）多くのマンホールが路上に設置されていることから、突起を有するアンテナを設置できないため、従来の線状アンテナでは限界があった。
（３）従来のシステムは、上述したマンホールへの設置制限があることから、非効率のアンテナを使用せざるを得ず、そのため、無線送信出力を上げる事により通信品質を確保していた。しかし、大出力の無線機は消費電力が大きくバッテリの大容量化や、バッテリ充電の間隔を短期間にする必要があった。
（４）このように、無線装置用のバッテリを定期的に充電又は交換する必要があるが、マンホール蓋を開けなければ充電や交換を行うことができず、危険な路上作業を長時間行わなければならないという問題点があった。
【０００４】
そこで、本発明は、マンホール等に加工を施すことがないと共に、マンホール等から突出することのないアンテナを提供することを目的としている。また、本発明は、さらにマンホール蓋を開けることなく充電可能な充電用コネクタを備えるアンテナを提供することを目的としている。
【０００５】
【課題を解決するための手段】
上記第１の目的を達成するために、本発明のスロットアンテナは、地中に埋設される枠体の上部を閉塞する導電性の蓋に形成されている鍵穴に装着可能なスロットアンテナであって、前記鍵穴内に嵌着可能な形状とされている導電性の本体部を備え、該本体部のほぼ中央に誘電体が充填されているスロット部が裏面から表面にわたり形成されており、該スロット部の給電点が前記本体部の裏面に設けられている。
【０００６】
また、上記本発明のスロットアンテナにおいて、前記鍵穴より大きく形成されて前記蓋の裏面に対面して取り付けられる取付部が、前記本体部の下部に設けられており、該取付部が前記蓋と容量結合可能な大きさとされていてもよい。
さらに、上記本発明のスロットアンテナにおいて、前記取付部に、前記蓋の裏面に吸着可能なマグネット手段が備えられていてもよい。
【０００７】
次に、上記第２の目的を達成することのできる本発明のスロットアンテナは、上記第１のスロットアンテナにおいて、誘電体が充填されている前記スロット部が折り返しスロットにより構成されて、前記本体部が前記折り返しスロットの内部に前記誘電体により絶縁されて位置している内部導体部と、前記折り返しスロットを囲む外部導体部とから構成されており、前記誘電体の一部が取り除かれて、前記内部導体と前記外部導体とを給電端子とする給電用コネクタが形成されている。
また、上記本発明のスロットアンテナにおいて、前記内部導体と前記外部導体に、前記本体部の裏面において接続されている給電ケーブルが、充電用ケーブルを兼用してもよい。
【０００８】
次に、上記第１の目的を達成することのできる本発明の第２のスロットアンテナは、地中に埋設される枠体の上部を閉塞する矩形状の形状とされている導電性の蓋に装着可能なスロットアンテナであって、前記蓋の周縁を挟持可能な導電性の導体部を備え、該導体部に誘電体が充填されているスロット部が表面から裏面にわたり形成されており、該スロット部の給電点が前記導体部の裏面に設けられている。
また、上記本発明の第２のスロットアンテナにおいて、前記導体部における前記蓋と対面する部位が、前記蓋と容量結合可能な大きさとされていてもよい。
【０００９】
このような本発明によれば、平面導体の表面上から電波を放射することができるスロットアンテナとしたことから、マンホールから素子を突起させることのないアンテナとすることができると共に、半波長ダイポールと同程度に広い周波数帯域とすることができる。このように、アンテナが良好な動作（ＶＳＷＲが良く利得が高い）をすれば良好な特性を得られないアンテナに比較して、同じ通信品質を確保する為の無線機出力を下げる事ができ、消費電力を節約することができる。すなわち、同じ容量のバッテリで長時間使用できることになることから、バッテリの交換・充電の頻度を低減することができる。
【００１０】
ところで、スロットアンテナは、スロットに磁流を発生させて、周囲の導体に放射のための電流を流すことにより、その導体から電波を放射させるアンテナである。そこで、磁流が流れているスロットに誘電体を充填することにより、スロット長を短縮することができる。これにより、鍵穴の長さに応じたスロットアンテナの長さを実現することができる。具体的な誘電率は、与えられたスペースと目的の周波数により異なるが、比誘電率３〜４の誘電体を充填して、長さ約４０ｍｍのスロットとすると約１．９ＧＨｚに同調させることができる。
【００１１】
また、マンホールの蓋を加工せずに、スロットアンテナを取り付ける為に、マンホールの鍵穴内にスロットアンテナの本体部を装着し、蓋の裏側からマグネット手段で取り付けることができるようにしている。これにより、上から鍵穴内に装着されているスロットアンテナを押す事によりスロットアンテナを鍵穴から取り外し、鍵穴として機能させることができる。スロットアンテナを鍵穴から取り外した場合は、蓋をしめる際に内側から鍵穴にスロットアンテナを取り付けて蓋をしめれば良い。なお、鍵穴に取り付けられたスロットアンテナは、マンホールの蓋と容量結合するようになり、蓋はグランドプレーンとして動作するようになる。
【００１２】
さらに、誘電体の一部が取り除いて内部導体と外部導体とを給電端子とする給電用コネクタを形成するようにしたので、マンホール内にバッテリ駆動の通信機器を収納した際に、バッテリにマンホールの蓋を開けることなく充電することができるようになる。この場合、マンホール内においてはスロットアンテナの給電ケーブルを充電用ケーブルとして兼用することができる。
さらにまた、矩形状の形状とされている導電性の蓋の周縁に取り付けられるスロットアンテナとすると、マンホールの一種であるハンドホールのように蓋にアンテナを取り付けられる大きさの鍵穴がない場合でも、蓋と枠の間の空隙を利用してスロッアンテナを取り付けることができるようになる。この場合、本体部における蓋と対面する部位が蓋と容量結合可能な大きさとされて、スロットアンテナが安定動作するようにされている。
【００１３】
【発明の実施の形態】
本発明の実施の形態にかかるスロットアンテナが適用されているマンホールの構成例を図１に示す。
図１に示すように地中にコンクリート製等の箱状とされたホール枠７が埋設され、このホール枠７の上部に鋳物等のマンホール蓋２が嵌着されることによりマンホール１が構成されている。マンホール蓋２は、図２にその構成が示されているように、例えば角が丸められた矩形状とされており、マンホール蓋２を開ける際に開蓋用の工具を挿入する鍵穴２ａが形成されている。
【００１４】
マンホール１内には無線機３と無線機３を駆動するバッテリ５が内蔵されている。この無線機３は、例えば上水道、下水道、電気、ガス、電話等の保守点検用の測定データを送信する無線機とされている。無線機３から導出された給電ケーブル６は、マンホール蓋２の鍵穴２ａに着脱可能に装着されているスロットアンテナ１０に接続されている。これにより、無線機３から給電ケーブル６に送出された送信信号（ＲＦ）がスロットアンテナ１０から送信されるようになる。また、給電ケーブル６の中途にはＲＦ／ＤＣ分離器４が接続されており、分離されたＤＣ電圧が充電用としてバッテリ５に供給されるようになされている。このＤＣ電圧は、破線で図示する充電器５０からスロットアンテナ１０に設けられている後述する充電用コネクタを介して給電ケーブル６上に供給される。このように、本発明のスロットアンテナ１０を適用すると、マンホール蓋２を開けることなくバッテリ５に充電することができるようになる。
【００１５】
次に、本発明の実施の形態にかかるスロットアンテナの第１の構成を図３および図４に示す。ただし、図３は第１の構成のスロットアンテナをマンホール蓋２の鍵穴２ａに装着した平面図であり、図４は図２に示すＡ−Ａ線で切断した際の断面図である。
これらの図に示すように、スロットアンテナ１０は直方体状の金属製とされている本体部１１と、本体部１１の下部から４方あるいは両側へ平板状に延伸している取付部１４から構成されている。本体部１１は、鍵穴２ａ内に嵌挿できる外形形状とされている導体部１３から構成されており、導体部１３のほぼ中央部にはおもて面から裏面まで貫通しているスロット部１２が形成されている。このスロット部１２内には誘電体が充填されて、使用周波数の波長に対するスロット部１２のスロット長を短くできるようにしている。例えば、長さ約４０ｍｍのスロット部１２内に比誘電率３〜４の誘電体を充填することにより、約１．９ＧＨｚに同調させることができる。また、誘電体をスロット部１２内に充填することにより、スロット部１２内に塵埃等が入り込むことを防止することができる。なお、導体部１３のおもて面にはカバー１５を貼着するようにしてもよい。さらに、導体部１３の裏面には、スロットアンテナ１０の給電点に給電する給電ケーブル６が接続されている。
【００１６】
また、平板状の取付部１４には、それぞれマグネット部１４ａが設けられており、このマグネット部１４ａによりスロットアンテナ１０がマンホール蓋２の裏面に吸着されている。マグネット部１４ａは、マグネットとマグネットを抱持する強磁性体の枠体からなり、十分な吸着強度を有している。これにより、スロットアンテナ１０の本体部１１をマンホール蓋２の鍵穴２ａ内に挿入して、取付部１４のマグネット部１４ａをマンホール蓋２の裏面に吸着させることにより、スロットアンテナ１０を確実にマンホール蓋２に取り付けることができる。取り付けられた際には、取付部１４とマンホール蓋２とが対面し、その間に静電容量が発生するため、取付部１４とマンホール蓋２とは容量結合し、高周波的に接続されるようになる。従って、マンホール蓋２がグランドプレーンとして動作し、スロットアンテナ１０は安定した動作を行えるようになる。さらに、マンホール蓋２に設けられている鍵穴２ａを利用してスロットアンテナ１０は取り付けられているため、マンホール蓋２に何らの加工も施すことなくスロットアンテナ１０をマンホール蓋２に取り付けることができる。さらに、このスロットアンテナ１０を取り付けてもマンホール蓋２から突出する部分を皆無とすることができる。
なお、何らかの事情によりマンホール蓋２を開ける場合は、開蓋用の工具の先端を鍵穴２ａに挿入することにより、マグネット部１４ａにより吸着されていたスロットアンテナ１０がマンホール蓋２からはずれるようになるため、マンホール蓋２を従来通り容易に開けることができるようになる。
【００１７】
次に、本発明の実施の形態にかかるスロットアンテナの第２の構成を図５および図６に示す。ただし、図５および図６に示すスロットアンテナは充電用コネクタを備える構成とされており、図５は第２の構成のスロットアンテナをマンホール蓋２の鍵穴２ａに装着した平面図であり、図６は図２に示すＡ−Ａ線で切断した際の断面図である。
これらの図に示すように、第２の構成のスロットアンテナ１０は直方体状の金属製とされている本体部２０と、本体部２０の下部から４方あるいは両側へ平板状に延伸している取付部２５から構成されている。本体部２０は、鍵穴２ａ内に嵌挿可能な外形形状とされている外部導体部２２と、スロット部２１内に位置する内部導体部２３から構成されており、外部導体部２２のほぼ中央部にはおもて面から裏面まで貫通している折り返されたスロット部２１が形成されている。この折り返されたスロット部２１の間には内部導体部２３が配置されている。また、スロット部２１内には誘電体が充填されて、使用周波数の波長に対するスロット部２１の折り返しスロット長を短くできるようにしている。また、誘電体をスロット部２１内に充填することにより、スロット部２１内に塵埃等が入り込むことを防止することができる。なお、本体部２０の裏面には、スロットアンテナ１０の給電点に給電する給電ケーブル６が、内部導体部２３および外部導体部２２にそれぞれ接続されている。
【００１８】
また、平板状の取付部２５には、それぞれマグネット部２５ａが設けられており、このマグネット部２５ａによりスロットアンテナ１０がマンホール蓋２の裏面に吸着されている。マグネット部２５ａは、マグネットとマグネットを抱持する強磁性体の枠体からなり、十分な吸着強度を有している。これにより、スロットアンテナ１０の本体部２０をマンホール蓋２の鍵穴２ａ内に挿入して、取付部２５のマグネット部２５ａをマンホール蓋２の裏面に吸着させることにより、スロットアンテナ１０を確実にマンホール蓋２に取り付けることができる。取り付けられた際には、取付部２５とマンホール蓋２とが対面し、その間に静電容量が発生するため、取付部２５とマンホール蓋２とは容量結合し、高周波的に接続されるようになる。従って、マンホール蓋２がグランドプレーンとして動作し、スロットアンテナ１０は安定した動作を行えるようになる。さらに、マンホール蓋２に設けられている鍵穴２ａを利用してスロットアンテナ１０は取り付けられているため、マンホール蓋２に何らの加工も施すことなくスロットアンテナ１０をマンホール蓋２に取り付けることができる。さらに、このスロットアンテナ１０を取り付けてもマンホール蓋２から突出する部分を皆無とすることができる。
なお、何らかの事情によりマンホール蓋２を開ける場合は、開蓋用の工具の先端を鍵穴２ａに挿入することにより、マグネット部２５ａにより吸着されていたスロットアンテナ１０がマンホール蓋２からはずれるようになるため、マンホール蓋２を従来通り容易に開けることができるようになる。
【００１９】
ところで、第２の構成のスロットアンテナ１０には充電用コネクタ２４が形成されており、充電用コネクタ２４に充電プラグ５２が装着された状態を示す構成を図７および図８に示す。ただし、図７はその状態を示す平面図であり、図８はその中央で切断した断面図である。
これらの図に示すように、充電用コネクタ２４は本体部２０の一端部におけるスロット部２１内の誘電体を除去することにより構成されており、外部導体部２２と内部導体部２３とが充電用の端子として兼用されている。すなわち、内部導体部２３は外部導体部２２と絶縁して設けられており、スロット部２１内に充填されている誘電体により保持されている。
【００２０】
充電プラグ５２は充電器５０から導出された充電ケーブル５１の先端に設けられており、ほぼ中央に配置されている絶縁体５５と、絶縁体５５を挟持するように両面に貼着等によりそれぞれ固着されている第１端子５３と第２端子５４とから構成されている。そして、上記したように構成された充電用コネクタ２４内に、充電プラグ５２を挿入すると、第１端子５３が内部導体部２３に接触し、第２端子５４が外部導体部２２に接触するようになる。そして、図６に示すように内部導体部２３および外部導体部２２には給電ケーブル６が接続されているため、充電ケーブル５１からのＤＣ電圧は給電ケーブル６上に伝達される。給電ケーブル６には図１に示すようにＲＦ／ＤＣ分離器４が挿入されて、分離されたＤＣ電圧はバッテリ５に供給されるようになる。このように、マンホール蓋２を開けることなくマンホール１に内蔵されているバッテリ５を、充電器５０により充電できるようになる。
【００２１】
次に、本発明の実施の形態にかかる第３の構成のスロットアンテナが適用されているマンホールの一種であるハンドホールの構成例を図９に示す。
図９に示すように地中に鋳物製等の箱状とされた小型のホール枠３３が埋設され、このホール枠３３の上部に鋳物等のハンドホール蓋３１が被着されることによりハンドホール３０が構成されている。ハンドホール蓋３１は、矩形状とされており、裏面に形成されている軸受がホール枠３３の側壁から突出するよう形成されている支軸３２に嵌入されて、ホール枠３３に対して回動可能とされている。このハンドホール蓋３１における軸受が形成されている縁部に対向する縁部に切欠が形成されており、この切欠に工具の先端を挿入してハンドホール蓋３１の縁部を持ち上げることにより開けることができるようにされている。
【００２２】
ハンドホール３０内には無線機と無線機を駆動するバッテリを内蔵することができる。この無線機は、例えば上水道、下水道、電気、ガス、電話等の保守点検用の測定データを送信する無線機とされている。図示しない無線機から導出された給電ケーブル３４は、ハンドホール蓋３１の周縁に着脱可能に装着されているスロットアンテナ４０に接続されている。これにより、無線機から給電ケーブル３４に送出された送信信号がスロットアンテナ４０から送信されるようになる。
【００２３】
次に、本発明の実施の形態にかかるスロットアンテナの第３の構成を図１０および図１１に示す。ただし、図１０は図９のＢ部を拡大して示す上面図であり、図１１は図９のＢ部を拡大して示す断面図である。
これらの図に示すように、スロットアンテナ４０は一側の断面形状がコ字状に形成されていると共に、他側の断面形状がＬ字状とされている金属製の導体部４１と、ホール枠とハンドホール蓋３１との間に形成されている空隙３３ａ内に収納される部位におもて面から裏面まで貫通しているスロット部４２とから構成されている。このスロット部４２内には誘電体が充填されて、使用周波数の波長に対するスロット部４２のスロット長を短くできるようにしている。例えば、長さ約４０ｍｍのスロット部１２内に比誘電率３〜４の誘電体を充填することにより、約１．９ＧＨｚに同調させることができる。また、誘電体をスロット部４２内に充填することにより、スロット部４２内に塵埃等が入り込むことを防止することができる。
【００２４】
給電ケーブル３４は誘電体が充填されているスロット部４２をまたぐように導体部４１の裏面に接続されている。これにより、無線機から給電ケーブル３４を介してスロットアンテナ４０を励振すると、スロットアンテナ４０から送信されるようになる。なお、スロットアンテナ４０をハンドホール蓋３１の周縁部に取り付けた際に、コ字状およびＬ字状の導体部４１はハンドホール蓋３１と対面するようになる。これにより、導体部４１とハンドホール蓋３１との間に静電容量が発生して、導体部４１とハンドホール蓋３１とは容量結合し、高周波的に接続されるようになる。従って、ハンドホール蓋３１がグランドプレーンとして動作し、スロットアンテナ４０は安定した動作を行えるようになる。
【００２５】
以上の説明した本発明にかかるスロットアンテナにおいて、マンホール蓋２あるいはハンドホール蓋３１と容量結合する導体部は、十分な容量結合できるようにその大きさが調整されている。また、スロットアンテナをマンホール蓋２の鍵穴２ａを利用して取り付ける場合は、鍵穴２ａの長さに応じてスロット部内に充填されている誘電体の誘電率を調整することにより、鍵穴２ａに取り付けられるスロットアンテナとすることができる。
【００２６】
【発明の効果】
本発明は以上説明したように、平面導体の表面上から電波を放射することができるスロットアンテナとしたことから、マンホールから素子を突起させることのないアンテナとすることができると共に、半波長ダイポールと同程度に広い周波数帯域とすることができる。このように、アンテナが良好な動作（ＶＳＷＲが良く利得が高い）をすれば良好な特性を得られないアンテナに比較して、同じ通信品質を確保する為の無線機出力を下げる事ができ、消費電力を節約することができる。すなわち、同じ容量のバッテリで長時間使用できることになることから、バッテリの交換・充電の頻度を低減することができる。
【００２７】
ところで、スロットアンテナは、スロットに磁流を発生させて、周囲の導体に放射のための電流を流すことにより、その導体から電波を放射させるアンテナである。そこで、磁流が流れているスロットに誘電体を充填することにより、スロット長を短縮することができる。これにより、鍵穴の長さに応じたスロットアンテナの長さを実現することができる。具体的な誘電率は、与えられたスペースと目的の周波数により異なるが、比誘電率３〜４の誘電体を充填して、長さ約４０ｍｍのスロットとすると約１．９ＧＨｚに同調させることができる。
【００２８】
また、マンホールの蓋を加工せずに、スロットアンテナを取り付ける為に、マンホールの鍵穴内にスロットアンテナの本体部を装着し、蓋の裏側からマグネット手段で取り付けることができるようにしている。これにより、上から鍵穴内に装着されているスロットアンテナを押す事によりスロットアンテナを鍵穴から取り外し、鍵穴として機能させることができる。スロットアンテナを鍵穴から取り外した場合は、蓋をしめる際に内側から鍵穴にスロットアンテナを取り付けて蓋をしめれば良い。なお、鍵穴に取り付けられたスロットアンテナは、マンホールの蓋と容量結合するようになり、蓋はグランドプレーンとして動作するようになる。
【００２９】
さらに、誘電体の一部が取り除いて内部導体と外部導体とを給電端子とする給電用コネクタを形成するようにしたので、マンホール内にバッテリ駆動の通信機器を収納した際に、バッテリにマンホールの蓋を開けることなく充電することができるようになる。この場合、マンホール内においてはスロットアンテナの給電ケーブルを充電用ケーブルとして兼用することができる。
さらにまた、矩形状の形状とされている導電性の蓋の周縁に取り付けられるスロットアンテナとしたので、マンホールの一種であるハンドホールのように蓋にアンテナを取り付けられる鍵穴がない場合でも、蓋と枠の間にスロッアンテナを取り付けることができるようになる。この場合、本体部における蓋と対面する部位が蓋と容量結合可能な大きさとされて、スロットアンテナが安定動作するようにされている。
【図面の簡単な説明】
【図１】本発明の実施の形態にかかるスロットアンテナが適用されているマンホールの構成例を示す図である。
【図２】本発明の実施の形態にかかるスロットアンテナが適用されているマンホールにおけるマンホール蓋の構成を示す図である。
【図３】本発明の実施の形態にかかるスロットアンテナの第１の構成を示す平面図である。
【図４】本発明の実施の形態にかかるスロットアンテナの第１の構成を示すＡ−Ａ断面図である。
【図５】本発明の実施の形態にかかるスロットアンテナの第２の構成を示す平面図である。
【図６】本発明の実施の形態にかかるスロットアンテナの第２の構成を示すＡ−Ａ断面図である。
【図７】本発明の実施の形態にかかるスロットアンテナの第２の構成における充電用コネクタの構成を示す平面図である。
【図８】本発明の実施の形態にかかるスロットアンテナの第２の構成における充電用コネクタの構成を示す断面図である。
【図９】本発明の本発明の実施の形態にかかる第３の構成のスロットアンテナが適用されているマンホールの一種であるハンドホールの構成例を示す図である。
【図１０】本発明の実施の形態にかかるスロットアンテナの第３の構成を示すＢ部を拡大した上面図である。
【図１１】本発明の実施の形態にかかるスロットアンテナの第３の構成を示すＢ部を拡大した断面図である。
【符号の説明】
１　マンホール、２　マンホール蓋、２ａ　鍵穴、３　無線機、４　ＲＦ／ＤＣ分離器、５　バッテリ、６　給電ケーブル、７　ホール枠、１０　スロットアンテナ、１１　本体部、１２　スロット部、１３　導体部、１４　取付部、１４ａマグネット部、１５　カバー、２０　本体部、２１　スロット部、２２　外部導体部、２３　内部導体部、２４　充電用コネクタ、２５　取付部、２５ａ　マグネット部、３０　ハンドホール、３１　ハンドホール蓋、３２　支軸、３３　ホール枠、３３ａ　空隙、３４　給電ケーブル、４０スロットアンテナ、４１導体部、４２　スロット部、５０　充電器、５１　充電ケーブル、５２　充電プラグ、５３　第１端子、５４　第２端子、５５　絶縁体
【図１】
2004007210.tif 000003
【図２】
2004007210.tif 000004
【図３】
2004007210.tif 000005
【図４】
2004007210.tif 000006
【図５】
2004007210.tif 000007
【図６】
2004007210.tif 000008
【図７】
2004007210.tif 000009
【図８】
2004007210.tif 000010
【図９】
2004007210.tif 000011
【図１０】
2004007210.tif 000012
【図１１】
2004007210.tif 000013